(57)【要約】【課題】タブレット型端末装置の付属品が嵩張ること無く、当該付属品とともに前記タブレット型端末装置をスマートに取り扱うことが可能な保護カバー１を提供する。【解決手段】タブレット型端末装置２０の背面と着脱可能な保持ケース１０と、正面カバー１１と、前記保持ケース１０の一方の側面１０ａに対向する一方の面部１２ａを、折り曲げ部１２ｂによって折り曲げ可能とし、前記保持ケース１０の他方の側面１０ｂに対向する他方の面部１２ｃを前記保持ケース１０に固定した背面カバー１２と、前記保持ケース１０の一方の側面１０ａとの間に隙間Ｓを設けた状態で、前記正面カバー１１と前記背面カバー１２の一方の面部１２ａとを折り曲げ可能とする背表紙カバー１３と、前記隙間Ｓに収納可能な形状であり、前記保持ケース１０の一方の側面１０ａに着脱可能とする前記タブレット型端末装置の付属品１４とを備える保護カバー１。【選択図】図３
2015046074.tif 000002
【特許請求の範囲】
【請求項１】
タブレット型端末装置を保護する保護カバーであって、
前記タブレット型端末装置の背面と着脱可能な保持ケースと、
前記タブレット型端末装置の正面を覆う正面カバーと、
前記保持ケースの一方の側面に対向する一方の面部を、前記保持ケースの一方の側面に対して平行に設けられた折り曲げ部によって折り曲げ可能とし、前記保持ケースの他方の側面に対向する他方の面部を前記保持ケースに固定する背面カバーと、
前記保持ケースの一方の側面との間に隙間を設けた状態で、前記正面カバーと前記背面カバーの一方の面部とを、前記保持ケースの一方の側面に沿って折り曲げ可能とする背表紙カバーと、
前記隙間に収納可能な形状であり、前記保持ケースの一方の側面に着脱可能とする前記タブレット型端末装置の付属品と
を備えることを特徴とする保護カバー。
【発明の詳細な説明】
【技術分野】
【０００１】
本発明は、保護カバーに関し、詳しくは、タブレット型端末装置の付属品が嵩張ること無く、当該付属品とともに前記タブレット型端末装置をスマートに取り扱うことが可能なタブレット型端末装置用の保護カバーに関する。
【背景技術】
【０００２】
従来より、タブレットＰＣ用ケースの技術は、多数存在する。例えば、実用新案登録第３１７７９１５号公報（特許文献１）には、ポータブル電子デバイスに適用する保護カバーが開示されている。このポータブル電子デバイスは、ディスプレー面、及び該ディスプレー面に相対する背面を備え、前記保護カバーは、前板、ホールド部、位置限定ヒンジ、サポート板からなる。又、前記前板は、該ディスプレー面を覆い、しかも第１の側縁を備え、前記ホールド部は、内表面、該内表面に相対する外表面、及び該前板に隣接する第２の側縁を備え、前記ホールド部は、該背面から、該ポータブル電子デバイスを、該内表面上においてホールドする。更に、前記位置限定ヒンジは、該外表面上に配置し、前記サポート板は、第３の側縁、及び該第３の側縁に相対する第４の側縁を備え、前記第３の側縁は、該位置限定ヒンジにより、該外表面に可動状に接続し、しかも該前板は、該第１の側縁と該第２の側縁との連接を通して、該ホールド部に相対して折れ曲がり、或いは該第１の側縁と該第４の側縁との連接を通して、該サポート板に相対して折れ曲がる。そして、前記サポート板が、該ホールド部に相対し、予定旋回角度の旋回を行うと、該位置限定ヒンジは、該サポート板と該ホールド部とを、該予定角度に維持し、該ポータブル電子デバイスは、設置面上に直立する。これにより、保護カバーは、ポータブル電子デバイスを補助し、設置面上に安定的に立たせることが出来、ポータブル電子デバイスの傾斜角度を安定的に維持することが出来るとしている。
【０００３】
又、実用新案登録第３１７４５８４号公報（特許文献２）には、タブレット型コンピュータを保護するカバーが開示されている。このカバーは、前記タブレット型コンピュータを覆い、前記タブレット型コンピュータのハードウェアを保護する下部ケースと、複数の折目を有し、前記下部ケースに回転可能に接続され、前記タブレット型コンピュータのスクリーン鏡面保護する上部カバーと、を備える。又、前記折目に沿って前記上部カバーを折ると、前記上部カバーと前記下部ケースとは、前記タブレット型コンピュータを支持可能な立体的な形状を形成する。これにより、タブレット型コンピュータを立てたり、カバーしたりすることが可能となるとしている。
【０００４】
又、特開２０１２−４３１８２号公報（特許文献３）には、正面側に画面を有する方形状のタブレットコンピュータを収納して被覆するタブレットコンピュータ用ケースが開示されている。このケースは、前記タブレットコンピュータの背面側を被覆すると共に該タブレットコンピュータを保持する背面板部と、該背面板部とで見開き状となるように開閉自在で前記タブレットコンピュータの正面側を被覆自在な正面板部とが、連結部を介して一方向に連結されてなる。又、前記正面板部の前記タブレットコンピュータの画面に対向する面には、前記タブレットコンピュータの厚みに略適合する幅の保持溝が、前記一方向と直交する方向に沿って複数本形成される。更に、前記背面板部は、前記連結部が設けられる側と反対側に前記タブレットコンピュータの一方側を保持固定する固定部を有し、硬質部材からなると共に前記一方向の中間位置で該一方向と直交する方向に沿って折り曲げ自在とされる。そして、前記背面板部の固定部に前記タブレットコンピュータの一方側を保持固定させた状態で、前記背面板部を折り曲げ、前記タブレットコンピュータの保持固定されていない他方側の端部を前記正面板部の保持溝のいずれかに保持させる。それと共に、前記タブレットコンピュータの背面側を前記背面板部で支持することにより、前記タブレットコンピュータを複数角度で立設自在としている。これにより、タブレットコンピュータの一辺をいずれかの保持溝に保持させ、タブレットコンピュータの背面を背面板部に保持させることが出来、簡易な構造でタブレットコンピュータを複数角度で立設させることが出来、利便性を高くすることが出来るとしている。
【０００５】
又、特開２０１１−２５３５１４号公報（特許文献４）には、前面に液晶が具備されたタブレットＰＣ用ケースが開示されている。このケースは、硬質の材質からなり、前面が露出するようにタブレットＰＣ（１）が収納され、一側に第１のヒンジ部（２１）が形成され他側に第２のヒンジ部（２３）が形成された第１の本体部（２０）、及び一側が前記第１の本体部（２０）の第２のヒンジ部（２３）にヒンジ結合された第２の本体部（３０）を含む本体（１０）を備える。又、このケースは、硬質の材質からなり、一側が前記本体（１０）の第１のヒンジ部（２１）にヒンジ結合されて、タブレットＰＣ（１）の前面を回動開閉し、他側には固定突起（４１）が突出形成されたカバー（４０）を備える。更に、前記タブレットＰＣ（１）の側面を囲むように前記第２の本体部（３０）の縁部に形成された側壁（１２）には、タブレットＰＣ（１）の前面縁部を囲む内向突起（１３）が形成され、前記第２の本体部（３０）は、第２のヒンジ部（２３）を中心に第１の本体部（２０）の背面と近接するように回動するように構成される。そして、前記カバー（４０）を本体（１０）から回動させてテ―ブルに配置した状態で、第２の本体部（３０）を回動させることによって、第１の本体部（２０）がタブレットＰＣ（１）と所定角度を成しながらタブレットＰＣ（１）の前面が上方に傾くように載置され、載置された状態でタブレットＰＣ（１）の下端が前記カバー（４０）の固定突起（４１）にかかってその位置が固定される。これにより、使用の利便性を増進させる効果、スリム化が可能でシンプル且つ綺麗な外観を提供できる効果等があるとしている。
【先行技術文献】
【特許文献】
【０００６】
【特許文献１】実用新案登録第３１７７９１５号公報
【特許文献２】実用新案登録第３１７４５８４号公報
【特許文献３】特開２０１２−４３１８２号公報
【特許文献４】特開２０１１−２５３５１４号公報
【発明の概要】
【発明が解決しようとする課題】
【０００７】
近年、タブレット型端末装置の普及とともに、当該タブレット型端末装置の保護のための保護カバー（又は保護ケース）が数多く登場してきている。
【０００８】
ここで、ユーザが、タブレット型端末装置用の保護カバーを購入する場合は、カバン、バッグ等からタブレット型端末装置を円滑に（スマートに）取り出したり、収納したり、更に、当該タブレット型端末装置を手際よく（スマートに）操作したりすることを切望している。
【０００９】
又、ユーザが、タブレット型端末装置を携帯する際に、当該タブレット型携帯端末装置の付属品（例えば、充電器、スピーカー、タッチペン等）も一緒にカバン等へ収納することが多い。一般的に、タブレット型端末装置と付属品とは別個独立の商品であることから、ユーザがカバン等からタブレット型端末装置と付属品とを取り出す際に、前記タブレット型端末装置は大きいため、ユーザは容易に探し出して取り出すことが出来ても、前記付属品は小さいため、ユーザは探し出し難く、時間が掛かるという問題がある。このような問題に対して、上述した特許文献１−４に記載の技術では解決することが出来ない。
【００１０】
そこで、本発明は、前記問題を解決するためになされたものであり、タブレット型端末装置の付属品が嵩張ること無く、当該付属品とともに前記タブレット型端末装置をスマートに取り扱うことが可能なタブレット型端末装置用の保護カバーを提供することを目的とする。
【課題を解決するための手段】
【００１１】
本発明者は、鋭意研究を重ねた結果、本発明に係る新規な保護カバーを完成させた。
【００１２】
即ち、本発明は、タブレット型端末装置を保護する保護カバーであって、前記タブレット型端末装置の背面と着脱可能な保持ケースと、前記タブレット型端末装置の正面を覆う正面カバーと、前記保持ケースの一方の側面に対向する一方の面部を、当該保持ケースの一方の側面に対して平行に設けられた折り曲げ部によって折り曲げ可能とし、前記保持ケースの他方の側面に対向する他方の面部を前記保持ケースに固定する背面カバーと、前記保持ケースの一方の側面との間に隙間を設けた状態で、前記正面カバーと前記背面カバーの一方の面部とを、前記保持ケースの一方の側面に沿って折り曲げ可能とする背表紙カバーと、前記隙間に収納可能な形状であり、前記保持ケースの一方の側面に着脱可能とする前記タブレット型端末装置の付属品とを備えることを特徴とする。
【発明の効果】
【００１３】
本発明に係る保護カバーによれば、タブレット型端末装置の付属品が嵩張ること無く、当該付属品とともに前記タブレット型端末装置をスマートに取り扱うことが可能となる。
【図面の簡単な説明】
【００１４】
【図１】本発明に係る保護カバーの平面図（図１Ａ）と、本発明に係る保護カバーの右側面図（図１Ｂ）と、本発明に係る保護カバーの正面図（図１Ｃ）である。
【図２】本発明に係る保護カバーの底面図（図２Ａ）と、本発明に係る保護カバーの左側面図（図２Ｂ）と、本発明に係る保護カバーの背面図（図２Ｃ）とである。
【図３】本発明に係る保護カバーの保持ケースにタブレット型端末装置を装着した状態の斜視図である。
【図４】本発明に係るタブレット型端末装置用のスピーカーを示す図（図４Ａ）と、本発明に係るタブレット型端末装置用の充電器を示す図（図４Ｂ）と、本発明に係るタブレット型端末装置用のタッチペンケースとタッチペンを示す図（図４Ｃ）とである。
【図５】本発明に係る保護カバーの保持ケースに付属品を装着していない状態の斜視図である。
【図６】本発明に係る保護カバーの保持ケースに付属品を装着した状態の斜視図である。
【図７】本発明に係る保護カバーの背面カバーを外側に折り曲げた状態の斜視図である。
【図８】本発明に係る保護カバーでタブレット型端末装置を立てた状態の斜視図である。
【図９】本発明に係る保護カバーでタブレット型端末装置を立てる前の状態の正面図（図９Ａ）と、本発明に係る保護カバーでタブレット型端末装置を立てた後の状態の正面図（図９Ｂ）とである。
【図１０】本発明に係る保護カバーをタブレット型端末装置に対して閉じた状態の斜視図である。
【図１１】他の実施形態に係る保護カバーの保持ケースに付属品を装着した状態の斜視図である。
【発明を実施するための形態】
【００１５】
以下に、添付図面を参照して、本発明に係る保護カバーの実施形態について説明し、本発明の理解に供する。尚、以下の実施形態は、本発明を具体化した一例であって、本発明の技術的範囲を限定する性格のものではない。
【００１６】
＜保護カバー＞
図１は、本発明に係る保護カバーの第一の概略図であり、図１Ａは、本発明に係る保護カバーの平面図であり、図１Ｂは、本発明に係る保護カバーの右側面図であり、図１Ｃは、本発明に係る保護カバーの正面図である。又、図２は、本発明に係る保護カバーの第二の概略図であり、図２Ａは、本発明に係る保護カバーの底面図であり、図２Ｂは、本発明に係る保護カバーの左側面図であり、図２Ｃは、本発明に係る保護カバーの背面図である。図３は、本発明に係る保護カバーの保持ケースにタブレット型端末装置を装着した状態の斜視図である。
【００１７】
本発明に係る保護カバーは、タブレット型端末装置を保護する保護カバー１であって、図１Ａ、図１Ｂ、図１Ｃ、図２Ａ、図２Ｂ、図２Ｃ、図３に示すように、前記タブレット型端末装置２０の背面と着脱可能な保持ケース１０と、前記タブレット型端末装置２０の正面２０ａを覆う正面カバー１１と、前記保持ケース１０の一方（左側）の側面１０ａに対向する一方（左側）の面部１２ａを、当該保持ケース１０の一方（左側）の側面１０ａに対して平行に設けられた折り曲げ部１２ｂによって折り曲げ可能とし、前記保持ケース１０の他方（右側）の側面１０ｂに対向する他方の面部１２ｃを前記保持ケース１０に固定した背面カバー１２とを備える。
【００１８】
更に、本発明に係る保護カバー１は、前記保持ケース１０の一方の側面１０ａとの間に隙間Ｓを設けた状態で、前記正面カバー１１と前記背面カバー１２の一方の面部１２ａとを、前記保持ケース１０の一方の側面１０ａに沿って折り曲げ可能とする背表紙カバー１３と、前記隙間Ｓに収納可能な形状であり、前記保持ケース１０の一方の側面１０ａに着脱可能とする前記タブレット型端末装置の付属品１４とを備える。
【００１９】
これにより、ユーザは、タブレット型端末装置２０の付属品１４が嵩張ること無く、当該付属品１４とともに前記タブレット型端末装置２０をスマートに取り扱うことが可能となる。
【００２０】
図４は、本発明に係る保護カバーの付属品を示す図であり、図４Ａは、タブレット型端末装置用のスピーカーを示す図であり、図４Ｂは、タブレット型端末装置用の充電器を示す図であり、図４Ｃは、タブレット型端末装置用のタッチペンケースとタッチペンを示す図である。又、図５は、本発明に係る保護カバーの保持ケースに付属品を装着していない状態の斜視図であり、図６は、本発明に係る保護カバーの保持ケースに付属品を装着した状態の斜視図である。
【００２１】
先ず、前記付属品１４として、図４Ａ、図４Ｂ、図４Ｃに示すように、例えば、タブレット型端末装置２０用のスピーカー、タブレット型端末装置２０用の充電器、タブレット型端末装置２０用のタッチペンケースとタッチペンを予め用意しておく。そして、ユーザが、各種の付属品１４の中から、所望する付属品１４（例えば、スピーカー）を選択し、図５に示す保護カバー１の保持ケース１０の一方の側面１０ａに、選択した付属品１４を装着する。これにより、図６に示すように、ユーザは、自身が必要とする付属品１４を手軽に携帯することが出来て、自分好みの保護カバー１としてカスタマイズすることが可能となる。
【００２２】
次に、ユーザは、前記付属品１４を保持ケース１０に装着した後に、正面カバー１１と背面カバー１２とを背表紙カバー１３を介して見開き状態にして、当該保持ケース１０に、自身のタブレット型端末装置２０の背面を装着する。すると、図３に示すように、前記タブレット型端末装置２０の正面である操作画面２０ａ（ディスプレイ画面）が表面に現れ、更に、前記装着された付属品１４が、背表紙カバー１３の内側近傍で、保護カバー１全体の中央に位置する。これにより、ユーザは、前記タブレット型端末装置２０の操作画面２０ａを操作しながら、中央に現れた付属品１４を容易に利用することが可能となる。
【００２３】
図７は、本発明に係る保護カバーの背面カバーを外側に折り曲げた状態の斜視図である。
【００２４】
又、ユーザが、前記タブレット型端末装置２０を装着した保持ケース１０又はこれと固定された背面カバー１２の他方の面部１２ｃを、折り曲げ部１２ｂを介して外側に折り曲げると、図７に示すように、前記保持ケース１０と当該保持ケース１０に装着された付属品１４が前記折り曲げ部１２ｂを（回動）軸として外側に回動する。これにより、ユーザは、前記背面カバー１２の一方の面部１２ａに対する保持ケース１０の角度を自由に調整することが可能となる。
【００２５】
図８は、本発明に係る保護カバーでタブレット型端末装置を立てた状態の斜視図である。図９は、本発明に係る保護カバーでタブレット型端末装置を立てる前後の状態の正面図であり、図９Ａは、本発明に係る保護カバーでタブレット型端末装置を立てる前の状態の正面図であり、図９Ｂは、本発明に係る保護カバーでタブレット型端末装置を立てた後の状態の正面図である。
【００２６】
さて、ユーザは、図７に示すように、前記背面カバー１２の他方の面部１２ｃを外側に所定の角度で折り曲げてから、前記保持ケース１０の一方の側面１０ａ又は装着された付属品１４を正面カバー１２の内面に配置する。すると、図８、図９Ａ、図９Ｂに示すように、前記背面カバー１２の一方の面部１２ａと正面カバー１０の一部（前記保持ケース１０の下方半分と対向する部分）とが、略三角柱状の台を構成し、丁度、前記保持ケース１０（タブレット型端末装置２０）のスタンド（支持台）として機能する。これにより、ユーザは、前記保持ケース１０（タブレット型端末装置２０）を地面（水平面）に対して所定の角度α（立ち角度）で立てることが可能となる。
【００２７】
ここで、前記タブレット型端末装置２０の立ち角度αは、図９Ｂに示すように、前記背面カバー１２の一方の面部１２ａと他方の面部１２ｃとの折り曲げ角度βにより調整することが可能である。そのため、ユーザは、前記背面カバーの他方の面部１２ｃの折り曲げ角度βを調整することで、自身の使いやすい立ち角度αでタブレット型端末装置２０を立てることが可能となる。
【００２８】
又、ユーザは、前記タブレット型端末装置２０を立てた状態にすると、保持ケース１０の一方の側面１０ａが下方に位置し、これに装着された付属品１４が正面カバー１０の内面に当接する。これにより、ユーザは、前記タブレット型端末装置２０の操作画面２０ａを見ながら、目下で前記付属品１４を確認することが可能となる。
【００２９】
ここで、前記付属品１４がスピーカーである場合、図９Ｂに示すように、当該付属品１４（スピーカー）の音声が下方から上方へ向かって伝播される。そのため、ユーザは、スピーカーの音声を適切に聞きながら、当該タブレット型端末装置２０を操作することが可能となる。
【００３０】
図１０は、本発明に係る保護カバーをタブレット型端末装置に対して閉じた状態の斜視図である。
【００３１】
さて、ユーザが、前記タブレット型端末装置２０への操作を完了し、背面カバー１２の一方の面部１２ａを保持ケース１０（内面）に合わせて、背表紙カバー１３を保持ケース１０の一方の側面１０ａに引き寄せ、正面カバー１０をタブレット型端末装置２０の操作画面２０ａに被せる。すると、図１０に示すように、前記保持ケース１０の一方の側面１０ａに装着された付属品１４が、当該保持ケース１０の一方の側面１０ａと背表紙カバー１３との間の隙間Ｓに、丁度、収納される。つまり、前記正面カバー１０を閉じると、前記付属品１４が自動的に背表紙カバー１３の内部に収納される。これにより、ユーザは、前記タブレット型端末装置２０を持ち運ぶ際に、前記付属品１４の収納を特に意識すること無く、当該付属品１４を手際よく携帯することが可能となる。又、前記付属品１４は、内部に収まる構成であるため、保護カバー１全体をカバン等へ入れたとしても、前記付属品１４が外れることが無く、嵩張らずにコンパクトに収納することが可能となる。
【００３２】
そして、ユーザが、再度、保護カバー１全体をカバン等から取り出す際に、前記付属品１４も合わせて円滑に取り出すことが出来て、当該付属品１４をカバン等の内部に失うが無く、更に、当該付属品１４を探し出す手間も解消することが出来るのである。
【００３３】
従って、本発明では、タブレット型端末装置２０の付属品１４が嵩張ること無く、当該付属品１４とともに前記タブレット型端末装置２０をスマートに（円滑に、手際よく）取り扱うことが可能となる。
【００３４】
ここで、前記保持ケース１０の形状は、本発明の目的を阻害しない限り、特に限定はなく、例えば、所定の厚みのある略四角形状、略立方体形状、略直方体形状等が挙げられる。図１、図２、図５、図６に示すように、前記タブレット型端末装置２０に対応する所定の厚みを有し、前記タブレット型端末装置２０の背面から側面（上下左右の側面）にわたって勘合可能な凹部を有する略直方体形状が好ましい。これにより、前記タブレット型端末装置２０を覆うのみでコンパクトにすることが出来るとともに、保護カバー１全体として本に類似する形状となり、持ち運びを手軽にすることが可能となる。
【００３５】
又、前記保持ケース１０の一方の側面１０ａの方向は、本発明の目的を阻害しない限り、特に限定はなく、例えば、前記保持ケース１０の形状が略直方体形状であれば、前記略直方体形状の長手方向に対応すると好ましい。これにより、ユーザは、本を見開いたり閉じたりするような感覚で前記保護カバー１を取り扱うことが可能となる。
【００３６】
又、前記保持ケース１０の一方の側面１０ａの形状は、本発明の目的を阻害しない限り、特に限定はない。例えば、図１、図２、図３、図５、図６に示すように、着脱される付属品１４の表面形状に対応する表面形状であると好ましく、具体的には、前記付属品１４の着脱される表面形状が凸状の円筒面であれば、前記保持ケース１０の一方の側面１０ａの着脱される表面形状は凹状の円筒面とされる。これにより、ユーザは、前記付属品１４を前記保持ケース１０の一方の側面１０ａに具合良く着脱し易くなる。
【００３７】
又、前記保持ケース１０のタブレット型端末装置２０への着脱形態は、本発明の目的を阻害しない限り、特に限定はない。例えば、図１、図３、図５、図６に示すように、タブレット型端末装置２０の背面が当接される保持ケース１０の周縁の一部に、当該タブレット型端末装置２０の正面２０ａの隅（一隅、二隅、四隅等）を係止する係止爪１０ｃ１、１０ｃ２が設けられる。これにより、ユーザが、前記係止爪１０ｃ１、１０ｃ２を使って、前記タブレット型端末装置２０を保持ケース１０に簡単に取り付けたり取り外したりすることが可能となる。
【００３８】
ここで、図１、図３、図５、図６に示す係止爪１０ｃ１、１０ｃ２は、具体的には、前記保持ケース１０の一方の側面１０ａに対応する周縁に、前記タブレット型端末装置２０の一方の端部２０ｂが勘合可能な勘合部１０ｃ１とし、前記保持ケース１０の他方の側面１０ｂに対応する周縁の（上下方向の）二つの隅に、前記タブレット型端末装置２０の他方の端部２０ｃの上下方向（長手方向）の両端の二つの隅をそれぞれ係止する二つの係止爪１０ｃ２としている。これにより、ユーザは、前記タブレット型端末装置２０の一方の端部２０ｂを前記保持ケース１０の勘合部１０ｃ１に嵌めて、タブレット型端末装置２０の他方の端部２０ｃを前記二つの係止爪１０ｃ２に係止させれば、当該タブレット型端末装置２０を保持ケース１０に簡単に取り付けることが可能となる。又、前記タブレット型端末装置２０の取り外しは、ユーザが、当該タブレット型端末装置２０の他方の端部２０ｃから二つの係止爪１０ｃ２を取り外せば良い。尚、前記二つの係止爪１０ｃ２は、前記勘合部１０ｃ１があるため、いずれか一つとしても構わない。
【００３９】
又、前記係止爪１０ｃ１、１０ｃ２の位置は、本発明の目的を阻害しない限り、特に限定はなく、例えば、前記タブレット型端末装置２０の側面に予め設けられる接続口（例えば、ステレオ端子、ヘッドホン端子、ＵＳＢポート、ケーブル端子等）の位置と異なる位置に設けられると好ましい。これにより、前記タブレット型端末装置２０を保持ケース１０に装着した状態であっても、前記係止爪１０ｃが邪魔になること無く、前記接続口に所定の端子を挿入して電気的に接続させることが可能となる。前記接続口が、前記付属品１４に接続された端子であれば、特に有効である。
【００４０】
又、前記保持ケース１０と背面カバー１２（背面カバー１２の他方の面部１２ｃ）には、図１、図２、図５、図６に示すように、前記保持ケース１０に装着されたタブレット型端末装置２０のカメラレンズ部に対向する位置に、前記保持ケース１０と背面カバー１２とを貫通して、当該カメラレンズ部の寸法と同等の寸法のカメラ撮影用の開口部１０ｄが設けられると好ましい。これにより、ユーザは、タブレット型端末装置２０を保持ケース１０に装着させたまま、当該タブレット型端末装置２０の操作画面２０ａを操作して、風景等の写真や動画を撮影することが可能となる。
【００４１】
又、前記正面カバー１１の内面（タブレット型端末装置２０の正面２０ａに対向する面）には、図１、図３、図５、図６、図７、図８、図９に示すように、前記保持ケース１０の一方の側面１０ａに沿った平行な溝で、内面から凹状（碗状）とされる保持溝１１ａが設けられると好ましい。これにより、ユーザが、タブレット型端末装置２０を立てる場合に、図９Ｂに示すように、前記保持ケース１０の一方の側面１０ａに装着された付属品１４を、正面カバー１１の保持溝１１ａに設置して、前記保持ケース１０及びタブレット型端末装置２０を所定の立ち角度αで固定して立たせることが可能となる。
【００４２】
ここで、前記保持溝１１ａの数は、図１に示すように、１本でも良いし、所定間隔を空けて複数本設けても構わない。又、前記保持溝１１ａの位置は、図１、図３、図５、図６、図７、図８、図９に示すように、前記保持ケース１０の立ち角度αに対応して適宜設計変更されるため、正面カバー１１の中央位置に設けても、保持ケース１０の一方の側面１０ａの近傍の位置又は他方の側面１０ｂの近傍の位置に設けても構わない。
【００４３】
又、背面カバー１２の折り曲げ部１２ｂは、一方の面部１２ａと他方の面部１２ｃとを折り曲げ可能に連結する構成であれば、本発明の目的を阻害しない限り、特に限定は無い。例えば、図１、図２、図７、図８、図９に示すように、前記保持ケース１０の一方の側面１０ａに沿った平行な溝で、外側から凹状とされる折り曲げ溝とすると好ましい。これにより、前記折り曲げ部１２ａに、特にヒンジ構造を設ける必要が無く、簡単な加工で折り曲げ部１２ｂを設けることが可能となる。
【００４４】
又、前記折り曲げ部１２ａの位置は、本発明の目的を阻害しない限り、特に限定は無いが、例えば、図１、図２、図７、図８、図９に示すように、背面カバー１２の中央位置とすると好ましい。これにより、ユーザが、前記タブレット型端末装置２０を立てる場合に、図９Ｂに示すように、前記保持ケース１０の一部と、前記正面カバー１１の一部と、前記背面カバー１２の一方の面部１２ａとで断面形状が略正三角形状となり、前記タブレット型端末装置２０を安定して立てることが可能となる。
【００４５】
又、前記背面カバー１２の他方の面部１２ｃと保持ケース１０との固定形態は、本発明の目的を阻害しない限り、特に限定はないが、例えば、図１、図２、図９に示すように、前記背面カバー１２の他方の面部１２ｃと保持ケース１０との間に接着層１２ｄを設けて両者を貼り付ける形態、両面接着テープ１２ｄで両者を貼り付ける形態等が挙げられる。
【００４６】
又、前記背表紙カバー１３の構成は、本発明の目的を阻害しない限り、特に限定は無いが、例えば、図１、図２、図３、図５、図６、図７、図８、図９、図１０に示すように、断面形状が略Ｃ型形状であり、略Ｃ型形状の開口部が保持ケース１０の一方の側面１０ａに対向する位置として、略Ｃ型形状の一方の端部を正面カバー１１と連結し、略Ｃ型形状の他方の端部を背面カバー１２（一方の面部１２ａ）と連結する形態が挙げられる。これにより、背表紙カバー１３と背面カバー１２の保持ケース１０の一方の側面１０ａとの間には略円筒形状の隙間Ｓを設けることが可能となり、保護カバー１全体として、本と類似する形状とすることが出来る。尚、前記背表紙カバー１３の断面形状は、略Ｃ型形状に限られず、例えば、略コ字型形状、略への字型形状等であっても構わない。
【００４７】
又、前記背表紙カバー１３の形態は、本発明の目的を阻害しない限り、特に限定は無いが、例えば、図１、図２、図３、図５、図６、図７、図８、図９、図１０に示すように、正面カバー１１と背面カバー１２と一体に形成され、材質を同質とする形態が挙げられる。これにより、保護カバー１全体の製造に要するコストを低減することが可能となる。尚、前記背表紙カバー１３は、他の構成として、例えば、組み込み式のヒンジ部や露出式のヒンジ部としても良い。
【００４８】
又、前記付属品１４は、タブレット型端末装置２０に関係する付属品であれば、本発明の目的を阻害しない限り、特に限定は無いが、例えば、図４に示すように、スピーカー、充電器、タッチペンケース等が挙げられる。又、スピーカー、充電器の配線端子は、円筒状の両端のいずれかに設けられる。又、充電器のスイッチも、円筒状の両端のいずれかに設けられる。充電器には、更に、充電量が満杯であれば、全て点灯し、充電量が無ければ、全て消灯する複数の（ＬＥＤ）ライト部が設けられても良い。又、タッチペンケースは、タッチペンを収納可能な収納部が設けられ、タッチペンの収納形態は、例えば、収納部の開口面に対して蓋を開閉自在に設ける形態、タッチペンに磁石を内蔵するとともに、収納部の内部に、対応する磁石を内蔵して、両者を磁力で着脱自在にし、開口面には蓋を設けない形態、両者を組み合わせた形態等が採用される。
【００４９】
又、前記付属品１４の形状は、本発明の目的を阻害しない限り、特に限定は無いが、例えば、前記背表紙カバー１３の内側の隙間Ｓの形状に対応させると好ましい。具体的には、図１、図２、図３、図５、図６、図７、図８、図９、図１０に示すように、前記背表紙カバー１３の断面形状が略Ｃ型形状である場合に、前記付属品１４の形状は、前記背表紙カバー１３の略Ｃ型形状の内部に収まる円柱形状とされる。これにより、前記隙間Ｓを十分に利用して、前記付属品１４を出来るだけ大きくすることが可能となる。尚、前記付属品１４の形状は、前記背表紙カバー１３の形状に対応して、円筒形状の他に、四角柱形状、多角柱形状等が挙げられる。
【００５０】
又、前記付属品１４の長手方向の寸法は、本発明の目的を阻害しない限り、特に限定は無いが、例えば、図１、図２、図３、図５、図６、図７、図８、図９、図１０に示すように、前記保持ケース１０の一方の側面１０ａの長手方向の寸法に対応させると好ましい。これにより、前記保持ケース１０と前記付属品１４とが一体品として見ることが出来て、美的外観を向上させる。
【００５１】
又、前記付属品１４とタブレット型端末装置２０との接続形態は、本発明の目的を阻害しない限り、特に限定は無く、有線接続でも無線接続でも良いが、例えば、近短距離無線通信（Ｂｌｕｅｔｏｏｔｈ（登録商標））を採用すると、配線接続をする手間を解消出来て好ましい。
【００５２】
又、前記付属品１４の材質は、本発明の目的を阻害しない限り、特に限定は無いが、例えば、アルミ製とすると、耐腐食性が良好で、且つ、外観の質感が良くて、スマートな付属品として好適である。
【００５３】
又、保持ケース１０の一方の側面１０ａに装着された付属品１４の正面（外面）は、本発明の目的を阻害しない限り、特に限定は無いが、例えば、前記保持ケース１０の一方の側面１０ａから外側を向くように構成されると良い。
【００５４】
又、前記保持ケース１０の一方の側面１０ａに対する付属品１４の着脱形態は、本発明の目的を阻害しない限り、特に限定は無いが、例えば、図１、図２に示すように、前記保持ケース１０の一方の側面１０ａの着脱部分に第一の磁石１０ｅを内蔵し、前記付属品１４の着脱部分に、当該第一の磁石１０ｅに着脱可能な第二の磁石１４ａを内蔵する形態が挙げられる。
【００５５】
ここで、前記第一の磁石１０ｅ、第二の磁石１４ａの形状、形態は、本発明の目的を阻害しない限り、特に限定は無いが、例えば、図１に示すように、前記第一の磁石１０ｅ、第二の磁石１４ａを長尺形状として、前記第一の磁石１０ｅを前記保持ケース１０の一方の側面１０ａの長手方向に沿って配置するとともに、前記第二の磁石１４ａを前記付属品１４の長手方向に沿って配置する形態が挙げられる。その他に、例えば、前記第一の磁石１０ｅ、第二の磁石１４ａを小型の円筒形状として、複数の第一の磁石１０ｅを前記保持ケース１０の一方の側面１０ａの長手方向に沿って所定間隔で内蔵し、複数の第二の磁石１４ａを前記付属品１４の長手方向に沿って所定間隔で内蔵する形態が挙げられる。
【００５６】
又、前記タブレット型端末装置２０は、本発明の目的を阻害しない限り、特に限定は無いが、例えば、タブレット型コンピュータ（ｉＰａｄ、ｉＰａｄ  ｍｉｎｉ）、ＰＤＡ、携帯端末装置、電子書籍、携帯ゲーム機、ネットブック、ノート型コンピュータ等が挙げられる。尚、図３、図８に示すタブレット型端末装置は、ｉＰａｄ  ｍｉｎｉとしている。
【００５７】
又、前記保持ケース１０の材質は、本発明の目的を阻害しない限り、特に限定は無く、金属製、樹脂製、木製等が挙げられる。又、前記正面カバー１１、背面カバー１２、背表紙カバー１３の材質は、本発明の目的を阻害しない限り、特に限定は無く、例えば、ソフトレザー、シリコンカバー、プラスチックカバー、ポリカーボネート、弾力性樹脂カバー等が挙げられる。
【００５８】
このように、本発明に係る保護カバー１は、前記保持ケース１０と、前記正面カバー１１と、前記背面カバー１２と、前記背表紙カバー１３と、前記付属品１４とを備えることを特徴とする。
【００５９】
これにより、ユーザは、タブレット型端末装置２０の付属品１４が嵩張ること無く、当該付属品１４とともに前記タブレット型端末装置２０をスマートに取り扱うことが可能となる。
【００６０】
＜他の実施形態＞
図１１は、他の実施形態に係る保護カバーの保持ケースに付属品を装着した状態の斜視図である。
【００６１】
又、本発明に係る保護カバー１は、更に、下記の構成を追加しても構わない。例えば、図１１に示すように、保護カバー１の保持ケース１０を、一方の側面１０ａに沿って所定の位置で、（一方の側面１０ａを含む）一方の面部１０ｆと（他方の側面１０ｂを含む）他方の面部１０ｇとの半分に切断し、一方の面部１０ｆと他方の面部１０ｇとを所定の連結部１０ｈで連結して、両者を保持ケース１０の一方の側面１０ａに沿って折り曲げ可能に構成する。これにより、ユーザが、前記タブレット型端末装置２０を装着した保持カバー１０から前記タブレット型端末装置２０を取り外す際に、当該保持カバー１０の一方の面部１０ｆと他方の面部１０ｇとを連結部１０ｈを介して外側に折り曲げれば、前記タブレット型端末装置２０の他方の端部２０ｃが前記保持ケース１０の二つの係止爪１０ｃ２から容易に外れる。そのため、ユーザは、前記タブレット型端末装置２０の他方の端部２０ｃを外部へ引いて、一方の端部２０ｂを保持カバー１０の勘合部１０ｃ１から引き抜くことで、前記タブレット型端末装置２０を容易に取り出すことが可能となる。又、前記タブレット型端末装置２０を保持ケース１０に装着する場合は、上述と逆の手順を行えば、簡単に装着することが可能となる。
【００６２】
尚、前記保持ケース１０を切断する位置、言い換えると、前記連結部１０ｈの位置は、本発明の目的を阻害しない限り、特に限定は無く、例えば、図１１に示すように、中央位置とされる。これにより、前記保持ケース１０の折り曲げ部となる連結部１０ｈと、前記背面カバー１２の折り曲げ部１２ｂとが対向することになり、ユーザは、前記保持ケース１０と前記背面カバー１２とをそれぞれ別個独立に折り曲げることが可能となる。
【産業上の利用可能性】
【００６３】
以上のように、本発明に係る保護カバーは、あらゆる種類のタブレット型端末装置の保護カバーとして有用であり、タブレット型端末装置の付属品が嵩張ること無く、当該付属品とともに前記タブレット型端末装置をスマートに取り扱うことが可能な保護カバーとして有効である。
【符号の説明】
【００６４】
１    保護カバー
１０  保持ケース
１１  正面カバー
１２  背面カバー
１３  背表紙カバー
１４  付属品
２０  タブレット型端末装置
【図１】
2015046074.tif 000003
【図２】
2015046074.tif 000004
【図３】
2015046074.tif 000005
【図４】
2015046074.tif 000006
【図５】
2015046074.tif 000007
【図６】
2015046074.tif 000008
【図７】
2015046074.tif 000009
【図８】
2015046074.tif 000010
【図９】
2015046074.tif 000011
【図１０】
2015046074.tif 000012
【図１１】
2015046074.tif 000013